(57)【要約】【課題】  睡眠中に寝返りをうったときでも頭と首の向きが常に一定に保たれ、快適な睡眠ができ、寝違え等の健康被害から使用者を保護するまくらを提供する。【解決手段】  内部にクッション材３０を充填した首まくら１１を構成し、この首まくら１１の両端に、内部にクッション材３０を充填した平板状の２個の縦まくら１２を略垂直に対向して取り付けると共に、上記首まくら１１と縦まくら１２の内部にパイプ３０を挿通してなるものである。【選択図】図１
0003103629.tif 000002
【実用新案登録請求の範囲】
【請求項１】
内部にクッション材を充填した首まくらを構成すると共に、内部にクッション材を充填した２個の縦まくらを構成し、この縦まくらを上記首まくらの両端に取り付け、上記首まくらと縦まくらの内部にパイプを挿通してなるまくら。
【請求項２】
内部にクッション材を充填した長細い形状の首まくらを構成すると共に、内部にクッション材を充填した平板状の２個の縦まくらを構成し、この縦まくらを上記首まくらの両端に略垂直に取り付け、上記首まくらと縦まくらの内部にパイプを挿通してなるまくら。
【考案の詳細な説明】
【技術分野】
【０００１】
本考案は寝違え等を防止して快適な睡眠ができるまくらに関するものである。
【背景技術】
【０００２】
従来のまくらは殆どが平面的形状であり、首と頭、肩がまくらと固定密着しておらず、寝返りをうった際にまくらとのずれを生じさせ、安眠の妨げや寝違え等がおきやすかった。
そのため、特許文献１に示すようなまくらが提案された。このまくらは横向きに寝やすくするために、まくらの頭を乗せる部分に直角に体を支える部分を設け寝返りをうちにくくして楽に横向きで寝られるようにしたものである。
【特許文献１】特開２００４−３３６９６
【０００３】
しかしながら、上記の発明によれば直角に体を支える部分が片側しかないため、睡眠中に体が動いた場合には効果がなくなるという問題点がある。
【考案の開示】
【考案が解決しようとする課題】
【０００４】
本考案は上記の点に鑑みなされたものであり、睡眠中に寝返りをうったときでも頭と首の向きが常に一定に保たれ、快適な睡眠が得られるまくらを提供するものである。
【課題を解決するための手段】
【０００５】
本考案の要旨とするところは、内部にクッション材を充填した首まくらを構成すると共に、内部にクッション材を充填した２個の縦まくらを構成し、この縦まくらを上記首まくらの両端に取り付け、上記首まくらと縦まくらの内部にパイプを挿通したことにある。
また、本考案の要旨とするところは、内部にクッション材を充填した長細い形状の首まくらを構成すると共に、内部にクッション材を充填した平板状の２個の縦まくらを構成し、この縦まくらを上記首まくらの両端に略垂直に取り付け、上記首まくらと縦まくらの内部にパイプを挿通したことにある。
【考案の効果】
【０００６】
本考案は、まくらが常に頭と首に密着して固定する立体的構成のため、睡眠中に寝返りをうったときでも、頭と首の向きが常に一定に保たれ、寝違えを防ぎ快適な睡眠が得られる等の効果を奏する。
【考案を実施するための最良の形態】
【０００７】
本考案を実施するための最良の形態は、内部にクッション材を充填した長細い形状の首まくらを構成すると共に、内部にクッション材を充填した平板状の２個の縦まくらを構成する。上記首まくらの両端に、上記縦まくらを略垂直に対向して取り付けると共に、首まくらと縦まくらの内部に１本の銅パイプを挿通して首まくらと縦まくらを安定させたものである。
【実施例】
【０００８】
図１は本考案の一実施例の斜視図、図２は同正面図、図３は同使用状態を示す斜視図、図４は同仰向けでの使用状態を示す説明図及び図５は同横向きでの使用状態を示す説明図である。
【０００９】
本実施例のまくら１の構成を図に基づいて説明する。
図１乃至図３において、符号１はまくらであり、このまくら１は首まくら１１と、この首まくら１１の両側に取り付けた一対の縦まくら１２，１２からなる。
【００１０】
首まくら１１は長細い形状であり、内部にウレタン等の弾性材からなるクッション材３０を布製のカバー４０で包んである。
縦まくら１２は、所定の厚さを有する側面が長方形の平板状であり、上記首まくら１１と同様に内部にウレタン等の弾性材からなるクッション材３０を布製のカバー４０で包んである。
【００１１】
そして、上記首まくら１１と２個の縦まくら１２，１２の内部にパイプ２０を挿通して互いに連結固定してある。このパイプ２０は首まくら１１の内部を挿通させ、その両端を直角に曲げて、その端部を上方に湾曲して円弧状に形成し縦まくら１２内部に挿通させたものである。また、このパイプは直径９ｍｍの銅パイプである。
また、上記実施例では、首まくら１１を長さ約２４ｃｍ、高さ約８ｃｍとし、縦まくら１２を幅約３０ｃｍ、高さ約２４ｃｍ、厚さ約８〜１０ｃｍに構成した。
【００１２】
上記首まくら１１、縦まくら１２、クッション材３０、カバー４０及びパイプ２０の材質、大きさ、形状などはこの実施例に限定されず、本考案の作用、効果の範囲内で任意に選択できる。
【００１３】
上記のように構成した本実施例の作用を説明する。
使用の前に、まず使用者の体型にあわせて首まくら１１の内部のパイプ２０を湾曲する。すなわち図２に示すように、首まくら１１に挿通されたパイプ２０の中央付近を下方に湾曲して凹部２０ａを形成する。
その後、首まくら１１に首を載せ、縦まくら１２，１２の間に頭を置いて図３に示すような仰向けの姿勢になる。
【００１４】
このような状態では、首がパイプ２０の凹部２０ａで固定され、かつクッション材３０の弾性で支持されているので首に負担がかからず自然な感触で固定される。
このように仰向けで寝たときは、まくら１と頭、首がずれたり離れたりせず、脊椎がＳ字形の湾曲を示し自然な状態となっているのである。
【００１５】
その後、図５のように横向けの姿勢になった場合には、縦まくら１２が頭の下になるため、肩と頭、首の高さが適正に保たれることで、首にかかる負担を最小限に抑えることができる。
【００１６】
本実施例のまくら１は、上記のように首まくら１１と縦まくら１２，１２がパイプ２０で連結されているため、睡眠中に頭や首を動かしても、首まくら１１と縦まくら１２，１２は常に安定した形状を保つため、まくらと頭、首の位置と向きを常に一定に保つことができる。
【００１７】
以上のように、本実施例によれば簡易な構成でありながら、睡眠中、仰向けの姿勢のときはまくらと頭、首がずれたり離れたりせず、横向きの姿勢時には肩と頭、首の高さを合わせることで首負担が軽減され首や肩のコリが防止できる。また、まくらと頭、首の位置と向きが常に一定に保たれるため、安眠できるようになり、寝違え等を防止できる等の効果を奏する。
【図面の簡単な説明】
【００１８】
【図１】本考案の一実施例の斜視図
【図２】本考案の一実施例の正面図
【図３】本考案の一実施例の使用状態を示す斜視図
【図４】本考案の一実施例の仰向けでの使用状態を示す説明図
【図５】本考案の一実施例の横向きでの使用状態を示す説明図
【符号の説明】
【００１９】
１  まくら
１１  首まくら
１２  縦まくら
２０  パイプ
２０ａ  パイプの凹部
３０  クッション材
４０  カバー
【図１】
0003103629.tif 000003
【図２】
0003103629.tif 000004
【図３】
0003103629.tif 000005
【図４】
0003103629.tif 000006
【図５】
0003103629.tif 000007